(57)【要約】【課題】  ヘアーアイロンにおいて、ヒーターとして温度制御ができないＰＴＣヒーターを使用しても、加熱部の加熱温度を個々の異なった毛髪に対応させて適切な温度に切り換えて使用できるようにすること。【解決手段】  本発明に係るヘアーアイロンは、内部に板状のＰＴＣヒーターを収納した円筒状のロッドと、該ロッドの端部に配設されたグリップと、該ロッドまたはグリップに可動な状態で支持され該ロッドとの間で毛髪を挟み込むグローブとからなるヘアーアイロンであって、前記ロッド内には、前記ＰＴＣヒーターと略同幅の凹部が複数形成され該ＰＴＣヒーターの熱を伝導させるための金属製の支持部材が収納され、該凹部にはそれぞれ加熱温度の異なるＰＴＣヒーターを配設し、該ＰＴＣヒーターの一つが電源オンのとき他方は電源オフ状態に切り換えられる多段切り換えスイッチを設け、該多段切り換えスイッチを操作することにより前記加熱温度の異なるＰＴＣヒーターを個別に作動させてロッドの加熱温度を制御できるようにした。【選択図】  図２
2005087258.tif 000002
【特許請求の範囲】
【請求項１】
内部に板状のＰＴＣヒーターを収納した円筒状のロッドと、該ロッドの端部に配設されたグリップと、該ロッドまたはグリップに可動な状態で支持され該ロッドとの間で毛髪を挟み込むグローブとからなるヘアーアイロンであって、
前記ロッド内には、前記ＰＴＣヒーターと略同幅の凹部が複数形成され該ＰＴＣヒーターの熱を伝導させるための金属製の支持部材が収納され、
該凹部にはそれぞれ加熱温度の異なるＰＴＣヒーターを配設し、
該ＰＴＣヒーターの一つが電源オンのとき他方は電源オフ状態に切り換えられる多段切り換えスイッチを設け、
該多段切り換えスイッチを操作することにより前記加熱温度の異なるＰＴＣヒーターを個別に作動させてロッドの加熱温度を制御できるようにしたこと
を特徴とするヘアーアイロン。
【請求項２】
前記支持部材の中央部には、
軸芯に沿って孔または空洞部を形成したこと
を特徴とする請求項１に記載のヘアーアイロン。
【請求項３】
支持部材の外周面をロッド内周面と略同一径に形成すると共に、
ＰＴＣヒーターと前記ロッド内面との間に略蒲鉾形状の隙間埋め部材を配設し、
該隙間埋め部材と前記支持部材との全体の外周面を前記ロッド内周面と略同一径にしたこと
を特徴とする請求項１に記載のヘアーアイロン。
【請求項４】
前記略蒲鉾形状の隙間埋め部材は、
無垢の金属材または板状の金属材を折り曲げて形成したこと
を特徴とする請求項３に記載のヘアーアイロン。
【請求項５】
内部に板状のＰＴＣヒーターを収納した一対の平板状の加熱部と、該各加熱部の端部にそれぞれ連設されたグリップとからなり、該グリップの基部側端部を軸で連結し加熱部が開く方向にバネ付勢されたヘアーアイロンであって、
前記各加熱部内には、加熱温度の異なる２以上のＰＴＣヒーターを取り付けた板状の金属製支持部材を配設し、
該ＰＴＣヒーターの一つが電源オンのとき他方は電源オフ状態に切り換えられる多段切り換えスイッチを設け、
該多段切り換えスイッチを操作することにより前記加熱温度の異なるＰＴＣヒーターを個別に作動させて加熱部の加熱温度を制御できるようにしたこと
を特徴とするヘアーアイロン。
【請求項６】
前記多段切り換えスイッチを切り換えることによって、その切り換えられた加熱の温度表示がなされる温度表示部を設けたこと
を特徴とする請求項１または５に記載のヘアーアイロン。
【請求項７】
前記切り換えられた加熱の温度表示と共に、温度表示部の表示色が変わるようにしたこと
を特徴とする請求項１、５または６に記載のヘアーアイロン。
【発明の詳細な説明】
【技術分野】
【０００１】
本発明は、加熱部に毛髪を巻き付けまたは挟み込んだ状態で毛髪を加熱し、該毛髪にカール付けするか、またはくせ毛であればストレートに伸ばすことができるヘアーアイロンに関するものである。
【背景技術】
【０００２】
従来、この種のヘアーアイロンとしては、例えば、加熱部にＰＴＣヒーターを使用したものが知られており、毛髪にカール付けするヘアーアイロンの一例としては、毛髪が巻き付けられる巻胴と、該巻胴外周面との間で毛髪を挟持するクリップと、該巻胴内にＰＴＣヒーターをと備えており、前記巻胴における少なくともクリップとの対面領域以外の部分の外面に周方向に沿うリブ状であって熱不良導体で形成されたガードを備えるとともに、熱良導体で形成されたクリップはその外面に熱不良導体からなる保護部材が設けられている構成のものが公知になっている。
【特許文献１】特開平１０−１１３２１３号公報
【０００３】
また、くせ毛をストレートに伸ばすヘアーアイロンとしては、加熱部がスチームにより加熱される第１の熱板と、電気ヒーター（ＰＴＣヒーター）により加熱される第２の熱板とで毛髪を挟持してくせ毛を直すものであって、前記第１の熱板と第２の熱板の近傍に毛髪にテンションを加えるためのブリスルを配設した構成のものが公知になっている。
【特許文献２】特開平９−１９１９２０号公報
【０００４】
前記特許文献１の公知技術においては、ヒーターとしてＰＴＣヒーターを使用し、ＰＴＣヒータの両面に夫々アルミナ板と半円状のヒートシンクとを配したものを有底円筒状のヒータパイプ内に収めたものであり、加熱部の巻胴からの熱を受けて熱くなっているクリップが肌に触れ、クリップ部分での火傷の虞れがあることから、巻胴及びクリップに肌が触れて熱い思いをしたり火傷をしたりする虞れがないように、熱不良導体で形成されたガード及び熱不良導体からなる保護部材が設けられたヘアーアイロンを提供することを目的としたものである。
【０００５】
また、前記特許文献２の公知技術においては、一方の熱板からスチームと熱とを毛髪に与えるようになっているが、他方の熱板はスチーム及び熱の発生がないことから、くせ毛を直すのが困難であったのを、スチームで加熱される第１の熱板と、その第１の熱板よりも高温になるＰＴＣヒーターにより加熱される第２の熱板とで、毛髪を挟んでくせ毛をストレートに伸ばすことができるようにしたヘアーアイロンを提供することを目的としたものである。
【発明の開示】
【発明が解決しようとする課題】
【０００６】
しかしながら、前記特許文献１の公知技術においては、ヘアーアイロンのヒーターとして、一定の温度にしか加熱できないＰＴＣヒーターを使用したものであり、巻胴の温度を切り換えることができない構成であることから、個々の異なった毛髪に対応させることができず、使用者によっては毛髪を痛めたり、またカールを適正にかけることができないという問題点を有している。
【０００７】
また、前記特許文献２の公知技術においても、一方の熱板がスチームで加熱されることと、他方の熱板がＰＴＣヒーターで加熱される構成であるため、いずれの加熱手段も一定の温度にしか設定できないものであり、個々の異なった毛髪に対応させることができず、使用者によっては毛髪を痛めたり、またくせ毛をストレートに伸ばすことができないという問題点を有している。
【０００８】
従って、従来のヘアーアイロンにおいては、ヒーターとしてＰＴＣヒーターを使用しても、加熱部の加熱温度を個々の異なった毛髪に対応させて適切な温度に切り換えて使用できるようにすることに解決しなければならない課題を有している。
【課題を解決するための手段】
【０００９】
上記した従来例の課題を解決する具体的手段として本発明に係る第１の発明は、内部に板状のＰＴＣヒーターを収納した円筒状のロッドと、該ロッドの端部に配設されたグリップと、該ロッドまたはグリップに可動な状態で支持され該ロッドとの間で毛髪を挟み込むグローブとからなるヘアーアイロンであって、前記ロッド内には、前記ＰＴＣヒーターと略同幅の凹部が複数形成され該ＰＴＣヒーターの熱を伝導させるための金属製の支持部材が収納され、該凹部にはそれぞれ加熱温度の異なるＰＴＣヒーターを配設し、該ＰＴＣヒーターの一つが電源オンのとき他方は電源オフ状態に切り換えられる多段切り換えスイッチを設け、該多段切り換えスイッチを操作することにより前記加熱温度の異なるＰＴＣヒーターを個別に作動させてロッドの加熱温度を制御できるようにしたことを特徴とするヘアーアイロンを提供するものである。
【００１０】
この第１の発明において、前記支持部材の中央部には、軸芯に沿って孔または空洞部を形成したこと；支持部材の外周面をロッド内周面と略同一径に形成すると共に、ＰＴＣヒーターと前記ロッド内面との間に略蒲鉾形状の隙間埋め部材を配設し、該隙間埋め部材と前記支持部材との全体の外周面を前記ロッド内周面と略同一径にしたこと；及び前記略蒲鉾形状の隙間埋め部材は、無垢の金属材または板状の金属材を折り曲げて形成したこと、を付加的な要件として含むものである。
【００１１】
また、第２の発明として、内部に板状のＰＴＣヒーターを収納した一対の平板状の加熱部と、該各加熱部の端部にそれぞれ連設されたグリップとからなり、該グリップの基部側端部を軸で連結し加熱部が開く方向にバネ付勢されたヘアーアイロンであって、前記各加熱部内には、加熱温度の異なる２以上のＰＴＣヒーターを取り付けた板状の金属製支持部材を配設し、該ＰＴＣヒーターの一つが電源オンのとき他方は電源オフ状態に切り換えられる多段切り換えスイッチを設け、該多段切り換えスイッチを操作することにより前記加熱温度の異なるＰＴＣヒーターを個別に作動させて加熱部の加熱温度を制御できるようにしたことを特徴とするヘアーアイロンを提供するものである。
【００１２】
これら第１または第２の発明において、前記多段切り換えスイッチを切り換えることによって、その切り換えられた加熱の温度表示がなされる温度表示部を設けたこと；及び前記切り換えられた加熱の温度表示と共に、温度表示部の表示色が変わるようにしたこと、を付加的な要件として含むものである。
【発明の効果】
【００１３】
本発明に係るヘアーアイロンは、内部に板状のＰＴＣヒーターを収納した円筒状のロッドと、該ロッドの端部に配設されたグリップと、該ロッドまたはグリップに可動な状態で支持され該ロッドとの間で毛髪を挟み込むグローブとからなるヘアーアイロンであって、前記ロッド内には、前記ＰＴＣヒーターと略同幅の凹部が複数形成され該ＰＴＣヒーターの熱を伝導させるための金属製の支持部材が収納され、該凹部にはそれぞれ加熱温度の異なるＰＴＣヒーターを配設し、該ＰＴＣヒーターの一つが電源オンのとき他方は電源オフ状態に切り換えられる多段切り換えスイッチを設け、該多段切り換えスイッチを操作することにより前記加熱温度の異なるＰＴＣヒーターを個別に作動させてロッドの加熱温度を制御できるようにしたことにより、ロッドの温度を適宜切り換えて使用することができるため、個々の異なった毛髪に対応させてカールを適正にかけることができるという優れた効果を奏する。
【発明を実施するための最良の形態】
【００１４】
ロッド内または加熱部内に、熱伝導に寄与する支持部材を介して加熱温度の異なる２以上のＰＴＣヒーターを配設し、該ＰＴＣヒーターの一方の電源がオンのとき他方の電源をオフにして加熱温度が切り換えられる多段切り換えスイッチを設け、該多段切り換えスイッチを操作することにより前記加熱温度の異なるＰＴＣヒーターを個別に作動させてロッドの加熱温度を制御できるように構成にすることにより実現した。
【実施例１】
【００１５】
次に、本発明に係るヘアーアイロンを具体的な実施例に基づいて詳しく説明する。
まず、第１の実施例を図１乃至図２に基づいて説明する。図１において、ヘアーアイロン１は、毛髪を巻き付けて加熱するいわゆる加熱部である円筒状のロッド２と、該ロッド２の端部に連設されたグリップ３と、該ロッド２に対して開閉または回動可能な状態で支持されたグローブ４とからなる。
【００１６】
グローブ４には、その基部側端部にグローブハンドル６が連接され、該グローブ４は支持ビス５によりロッド２に対して開閉または回動可能な状態で支持され、前記グローブハンドル６を開く方向、即ち矢印ａの方向に操作することにより、前記支持ビス５を中心として前記グローブ４を回転させて、該グローブ４の先端部側を矢印ｂで示す方向に開かせることによって、該グローブ４と前記ロッド２との間に毛髪を挟み込む隙間を形成することができる。
【００１７】
この場合に、クローブ４における毛髪を挟み込む部分を挟み込み部４ａと称することができ、該挟み込み部４ａは前記ロッド２の外面と略同一の曲面形状に形成されており、前記グローブハンドル６を操作してグローブ４の挟み込み部４ａを開いた状態にし、ロッド２の周囲に毛髪を巻き付けた後に、グローブハンドル６を操作して挟み込み部４ａを閉めてロッド２の外面との間に毛髪を挟み込んだ状態にすることにより、毛髪に対してロッド２側の熱によって効率良くカール付けすることができる。
【００１８】
なお、グローブ４は、図においては、支持ビス５によりロッド２に対して開閉または回転可能可動な状態で支持されているが、支持ビス５をグリップ３側に移動させグリップ３に対して回転可能な状態に取り付けるようにしても良く、また、前記支持ビス５には、可動状態でスタンド７を取り付け、ヘアーアイロン１を使用していない場合等に、該ヘアーアイロン１のロッド２がテーブル等に接触しないように前記スタンド７を介して支持させた状態で据え置きできるようにしても良い。
【００１９】
グリップ３には、多段切り換えスイッチ８がスライド自在に配設されており、電源ケーブル９から供給される電源を前記多段切り換えスイッチ８を操作してオン／オフできると共に、ロッド２の温度も多段に切り換えられるようになっている。
【００２０】
即ち、図２に示したように、ロッド２内には熱源として複数のＰＴＣヒーター１０ａ、１０ｂ（図２では２つ）が配設されており、これらＰＴＣヒーター１０ａ、１０ｂは熱源としての加熱温度が異なるものを使用してある。例えば、一方のＰＴＣヒーター１０ａのキュリー点（最高温度）が１６０℃のものを使用し、他方のＰＴＣヒーター１０ｂのキュリー点（最高温度）が８０℃のものを使用する。
【００２１】
このように加熱温度の異なるＰＴＣヒーター１０ａ、１０ｂは、前記グリップ３に配設された多段切り換えスイッチ８を切り換えることによって、それぞれの電源が別々にオン／オフされる、即ち、一方のＰＴＣヒーター１０ａの電源がオンのとき、他方のＰＴＣヒーター１０ｂの電源をオフにし（この場合はロッド２の温度が略１６０℃）、また、逆に他方のＰＴＣヒーター１０ｂの電源がオンのとき、一方のＰＴＣヒーター１０ａの電源をオフにし（この場合はロッド２の温度が略８０℃）て、温度が切り換えられるようになっている。
【００２２】
つまり、切り換えスイッチ８の切り換えによって、通電させるＰＴＣヒーター１０ａ、１０ｂを個別に選択するという簡単な構成だけで、ロッド２の温度を簡単に切り換えて使用することができるので、例えば、温度設定をダイヤルによって行うといったような煩雑な操作を要することがなく、個々の異なった毛髪に対応させてカールを適正にかけることができ、また、電子式の温度制御回路等が不要なため、その構造も簡易になるので、故障の発生が減少するのである。なお、ヘアーアイロン１を使用しない時には、切り換えスイッチ８を操作して両方のＰＴＣヒーター１０ａ、１０ｂはオフにできるのである。
【００２３】
更に、加熱用熱原としてＰＴＣヒーター１０ａ、１０ｂを使用しているので、該ＰＴＣヒーターの特性によって、通電開始から略１分３０秒程度という短時間でキュリー点（最高温度）に達し、仮に、ロッド２の表面温度が使用によって低下した場合であっても、短時間で前記キュリー点の温度に回復するため、ロッド２の加熱温度が設定または選択された温度に自動的に制御されて、該ロッド２の表面温度が安定して維持されるのである。
【００２４】
要するに、ロッド２内に加熱温度の異なるＰＴＣヒーターを配設して、該ロッド２の表面温度を切り換えられるようにできれば良いのであるから、該ロッド２内には、加熱温度の異なる２以上のＰＴＣヒーターを収納させ、ＰＴＣヒーターの一方の電源がオンのとき他方の電源をオフにするようにＰＴＣヒーターを切り換え、それぞれのＰＴＣヒーターのキュリー点の温度に加熱できるようにすれば良いのである。
【００２５】
ロッド２内へのＰＴＣヒーター１０ａ、１０ｂの配設または取り付けは、金属製の支持部材１１を使用する。この支持部材１１は略円柱状を呈するものであり、その円柱状の対向する側面に長さ方向に沿ってＰＴＣヒーター１０ａ、１０ｂと略同幅の凹部１２（図２では２つ）に形成し、該凹部１２内にそれぞれＰＴＣヒーター１０ａ、１０ｂが配設されている。この支持部材１１としては、例えば、アルミニウムまたは銅等の熱伝導率の高い金属によって形成することが好ましく、前記支持部材１１における円柱状の外周面１３をロッド２の内周面と略一致するかわずかに小径に形成させるものである。
【００２６】
ＰＴＣヒーターとしては、図３に示した構成のものが使用される。例えば、一方のＰＴＣヒーター１０ａを図示すると、該ＰＴＣヒーター１０ａは、全体が長方形の平板状を呈するものであり、一方の端部に一対の通電用のケーブル１０ｃが接続されたものである。なお、他方のＰＴＣヒーター１０ｂについても、略同様の構成を有するので、その図示については省略する。
【００２７】
そして、支持部材１１の凹部１２にそれぞれ平板状のＰＴＣヒーター１０ａ、１０ｂを配設すると、各ＰＴＣヒーター１０ａ、１０ｂとロッド２の内周面との間には、断面蒲鉾状の隙間ができ、配設した各ＰＴＣヒーター１０ａ、１０ｂは安定しない。そこで、断面蒲鉾状の隙間を埋めるために、例えば、図４に示した構成の熱伝達を兼ねた隙間埋め部材１４を使用することができる。
【００２８】
この隙間埋め部材１４は、図４に示したように板状の金属材を折り曲げて平板部１４ｂと曲面状部１４ａとからなる全体が中空の蒲鉾状に形成したものである。このように、板状の金属材を折り曲げて隙間埋め部材１４を形成することによって、該隙間埋め部材１４の軽量化を図ることができると共に、前記折り曲げ加工において、曲面状部１４ａの長さ方向中央部に板状の端部が所要の間隔をもって突き合わさるよう形成することで、その曲面状部１４ａに弾性力が生じるようになる。
【００２９】
そして、支持部材１１の凹部１２にＰＴＣヒーター１０ａ、１０ｂと隙間埋め部材１４とを配設位置させた状態で、これらをロッド２内に圧入状態で収納させることにより、曲面状部１４ａの弾性力によって前記ＰＴＣヒーター１０ａ、１０ｂを前記支持部材１１に押圧して密着させることができる。なお、支持部材１１は、その両端部がロッド２内において、例えば断熱部材等を介して嵌着またはビス止め等で固定されているのである。
【００３０】
このように、支持部材１１をロッド２の内周面と略一致する円柱状に形成すると共に、支持部材１１の凹部１２に配設されたＰＴＣヒーター１０ａ、１０ｂと、ロッド２の内面との間に隙間埋め部材１４を配設させることにより、支持部材１１と隙間埋め部材１４とによって全体が略円柱状になり、しかも、その円柱状が前記ロッド２の内周面と略一致することによって、前記支持部材１１と、ＰＴＣヒーター１０ａ、１０ｂと、隙間埋め部材１４とが、前記ロッド２内でガタツキが生ずることなく安定した状態で収納配設されるので、例えば、接着手段を要することなく、前記ＰＴＣヒーター１０ａ、１０ｂから放射される熱を支持部材１１の外周面１３と隙間埋め部材１４とを介して効率よく伝導して、ロッド２を加熱させることができるのである。
【００３１】
また、支持部材１１においても、該支持部材１１の軸芯部に沿って空洞部または孔１５を形成して、該支持部材１１のロッド２への取り付けの位置決めと軽量化とを図るようにしても良く、このようにすることで、熱の伝導性も良くなると共に、ヘアーアイロン１が軽量化されることにより、ヘアーアイロン１を使い易くできるのである。
【実施例２】
【００３２】
図５に、本発明の実施の形態に係る第２の実施例に係るロッド２１の断面図を示してある。なお、この第２の実施例においては、前記第１の実施例のロッド２内に収納した支持部材１１の形状を変更して３種類の異なるキュリー点を有するＰＴＣヒーターを配設できるようにし、且つ、隙間埋め部材として例えば無垢の金属材で形成したものであり、その他の構成については、前記第１の実施例と実質的に同一であるため、前記第１の実施例と同一の部分については、同一の符号を付して説明し、説明が重複するため、その詳細な説明は省略する。
【００３３】
この第２の実施例においては、ロッド２１内には、例えば、キュリー点（最高温度）が１６０℃のＰＴＣヒーター２２ａと、キュリー点が１２０℃のＰＴＣヒーター２２ｂと、キュリー点が８０℃のＰＴＣヒーター２２ｃとの加熱温度の異なる３つのＰＴＣヒーターが収納されている。
【００３４】
ＰＴＣヒーター２２ａ、２２ｂ、２２ｃは、例えば、アルミニウムまたは銅等の熱伝導率の高い金属材からなる支持部材２３に該ＰＴＣヒーター２２ａ、２２ｂ、２２ｃと略同幅に形成された凹部２４（図示では３つ）に配設されている。この支持部材２３においても、全体を略円柱状に形成し、その外周面２５をロッド２１の内周面と略一致するかわずかに小径に形成したものが用いられる。
【００３５】
そして、各ＰＴＣヒーター２２ａ、２２ｂ、２２ｃは、支持部材２３の外周面２５に沿ってそれぞれ等間隔に配設させることが好ましく、この第２の実施例のように、例えば、３つのＰＴＣヒーターを配設させる場合には、ロッド２１の重量バランスを平均化させるために、図５に示したように、ＰＴＣヒーター２２ａ、２２ｂ、２２ｃと支持部材２３との当接する面が略正多角形状（図示では正三角形状）になるように外周面２５を三等分して凹部２４を形成させることが好ましい。
【００３６】
また、支持部材２３の各凹部２４に配設されたＰＴＣヒーター２２ａ、２２ｂ、２２ｃと、ロッド２１の内周面との間には、図６に示したように、無垢の金属材で略蒲鉾形状に形成した隙間埋め部材２６を配設させている。なお、前記第１の実施例で使用した隙間埋め部材１４を使用することもできる。
【００３７】
このように、加熱温度の異なるＰＴＣヒーターを２以上の複数配設し、多段切り換えスイッチ８の切り換えによって、ロッド２の表面温度を複数段階に簡単に制御できるようになるのである。
【００３８】
図７に、前記第２の実施例に係る変形例のロッド３１の断面図を示してある。なお、この変形例においては、前記第２の実施例に係る支持部材２３の形状を正多角形柱（三角柱状）に形成して同じく３種類のキュリー点を有するＰＴＣヒーターを配設できるようにしたものであり、その他の構成については、前記第２の実施例と同一であるため、前記第２の実施例と同一部分については、同一の符号を付して説明し、説明が重複するため、その詳細な説明は省略する。
【００３９】
この変形例においては、ロッド３１内に、加熱温度の異なるＰＴＣヒーター２２ａ、２２ｂ、２２ｃ（図示では３つ）を収納させている。該ＰＴＣヒーター２２ａ、２２ｂ、２２ｃは、前記熱伝導率の高い金属材からなる三角形柱状の支持部材３２のそれぞれの側面に配設されている。
【００４０】
このように、支持部材３２は、前記第２の実施例における支持部材２３のように、ＰＴＣヒーターと略同幅の凹部２４を形成させることに限定されるものではなく、例えば、正多角形柱の支持部材を形成し、そのそれぞれの側面に加熱温度の異なるＰＴＣヒーターを配設させることができるのである。
【実施例３】
【００４１】
図８〜図１０に第３の実施例を示してある。この実施例は、主としてくせ毛を伸ばしてストレートにするために使用されるヘアーアイロンであり、該ヘアーアイロン４１は、毛髪を挟み付けて加熱する平板状の一対の加熱部４２、４３と、これら加熱部４２、４３の端部に取り付けられたグリップ４４、４５と、これらグリップの端部を軸４６により回転可能に連結し、該軸４６にまたは軸の近傍に設けた適宜のバネ部材４７により両加熱部４２、４３が開く方向にバネ付勢された構成を有するものである。
【００４２】
一方の加熱部４２側のグリップ４３には、略中央部に電源のオン・オフと加熱温度を切り換えるための多段切り換えスイッチ４８が設けられており、端部側にコード接続用の筒状部４９が設けられると共に、該筒状部４９にはコネクタ５０を介して電源ケーブル５１が接続されている。
【００４３】
両加熱部４２、４３の内部には、図９に示したような加熱温度が多段に調整できる加熱部材５２がそれぞれ配設されている。即ち、加熱部材５２は、熱伝導性の良い金属板からなる支持部材５３と、複数のＰＴＣヒーターとからなるものであり、図示の実施例では、３種類のキュリー点を有するＰＴＣヒーター５４ａ（１６０℃）、５４ｂ（１２０℃）、５４ｃ（８０℃）が使用されたものである。  
【００４４】
この場合に、支持部材５３に並列状態で３個の長方形の凹部５５を形成し、該凹部５５にそれぞれＰＴＣヒーター５４ａ、５４ｂ、５４ｃを嵌め込んで取り付け、各一対の通電用のケーブル５４ｄは、前記多段切り換えスイッチ４８に切り換え可能な状態で接続されている。そして、両加熱部４２、４３に配設された加熱部材５２は、同じキュウリー点を有するＰＴＣヒーターが同時にオン・オフされるのであり、両加熱部４２、４３が同時に同じ温度に加熱されるべく多段切り換えスイッチ４８で切り換えられるのである。
【００４５】
長方形の各凹部５５は、ＰＴＣヒーターと略同じ大きさにして、ＰＴＣヒーターが埋め込まれる状態で取り付けても良く、また、凹部５５を浅く形成してＰＴＣヒーターの一部が突出する状態で取り付けても良く、要するに、凹部５５はＰＴＣヒーターからの熱の伝導と位置決めとに寄与できれば良いのである。
【００４６】
図１０は、加熱部材５２の取り付け状況を説明するための加熱部４２の拡大断面図であり、加熱部材５２を両加熱部４２、４３の内部に取り付けるに当たって、支持部材５３から各ＰＴＣヒーター５４ａ、５４ｂ、５４ｃが離脱しないように、連続または不連続のリブ状の当接面５６ａを複数有する押さえ部材５６を支持部材５３に重ねて配設し、その上に断熱部材５７配設し、該断熱部材５７の垂下部５７ａを支持部材５３に係止させて押さえ部材５６と支持部材５３とを抱えるように一体化する。そして、このように一体化したものをヒーターユニットとして予め形成しておけば、ヘアーアイロンに対する組み込み作業が著しく容易になるのである。なお、上記実施例においては、３種類の異なるキュリー点を有するＰＴＣヒーターを使用したが、これを２種類の異なるキュリー点を有するＰＴＣヒーターを使用することができる。    
【００４７】
図１１〜図１３に、本発明のヘアーアイロンに組み付けて使用される多段切り換えスイッチにおける表示機構を示してある。例えば、一例として３種類の異なるキュリー点を有するＰＴＣヒーターを使用した場合の切り替えを行う多段切り換えスイッチ５８（８，４８も含む）について説明すると、該スイッチ５８は、例えば、グリップ（３、４４）に設けられた窓部５９に臨ませて内側に配設されたスライド式のものであって、指掛け部６０が窓部５９から突出して設けられ、該窓部５９のサイドには、ＯＦＦ表示と、８０、１２０、１６０の温度表示が一定の間隔をもってなされており、その温度表示の位置に指掛け部６０がクリック感をもって移動できると共に、その各位置において、各対応するキュリー点を有するＰＴＣヒーターに通電できるように構成されている。
【００４８】
更に、グリップには窓部５９と近接した位置に温度表示窓６１が設けられており、該温度表示窓６１には、切り換えられて通電状態になったＰＴＣヒーターのキュリー点の温度が比較的大きく表示されるものである。
【００４９】
この場合に、スイッチ５８の先端部側に、透明な樹脂板６２を延設して一連に形成し、該樹脂板６２に一定の間隔をもって表示温度の数値をそれぞれプリントすると共に、各温度表示のプリントされる領域６３、６４、６５を区分して、各領域を例えば、青色、黄色及び赤色にそれぞれ色分けして着色する。
【００５０】
また、前記温度表示窓６１の内側には、発光素子などの光源６６を配設し、該光源６６は周囲の熱に影響されないように断熱材からなるケース６７で周囲が囲まれている。この光源６６は、ヘアーアイロンの使用時に、スイッチ５８をＯＦＦの位置から使用温度に切り換えたときに点灯し、前記温度表示窓６１を内側から明るく照明するのである。
【００５１】
そして、スイッチ５８に延設した透明な樹脂板６２の部分は、前記温度表示窓６１の内側と光源６６との間に位置してスライドするようになっており、不使用時においては、スイッチ５８がＯＦＦの位置にあることから、前記温度表示窓６１には、透明な樹脂板６２の先端部が位置し、黒地に白抜きのＯＦＦの文字が目立つように表示されている。
【００５２】
使用時において、例えば、スイッチ５８をＯＦＦの位置から１２０℃に切り換えると、それに伴って透明な樹脂板６２がスライドして移動し、温度表示窓６１に領域６４が位置すると共に光源６６が点灯して、黄色地に１２０の文字が鮮明に表示されるのである。
【００５３】
上記と同様に、スイッチ５８を他の位置、例えば、１６０℃の位置に切り換えると、透明な樹脂板６２もそれに伴ってスライドし、領域６５が温度表示窓６１に位置し、赤色地に１６０の文字が鮮明に表示され、温度表示窓６１を一目するだけでヘアーアイロンの使用温度が認識できるのである。なお、温度表示においては、その他に、光輝するセブンセグメントの３桁の表示手段を使用することもできる。いずれにしても、ヘアーアイロンの熱源として複数の異なるキュリー点を有するＰＴＣヒーターを使用し、それを適宜切り換えて使用する際に、その切り換えた温度が表示できれば良いのである。
【産業上の利用可能性】
【００５４】
本発明に係るヘアーアイロンは、ロッドまたは加熱部の内部に、加熱温度の異なる２以上のＰＴＣヒーターを配設し、該ＰＴＣヒーターの一方の電源がオンのとき他方の電源をオフにして温度が切り換えられる構成にしたことにより、ロッドまたは加熱部の温度を適宜切り換えて使用することができ、個々の異なった毛髪に対応させてカールすることまたはストレートに伸ばすことを適正に行うことができる。
【図面の簡単な説明】
【００５５】
【図１】本発明の第１の実施例に係るヘアーアイロンを略示的に示した側面図である。
【図２】同ヘアーアイロンのロッド部分を略示的に示した拡大断面図である。
【図３】同ヘアーアイロンに使用されるＰＴＣヒーターの一例を示す平面図である。
【図４】同ヘアーアイロンのロッド内に収納される隙間埋め部材の一例を略示的に示した斜視図である。
【図５】本発明の第２の実施例に係るヘアーアイロンのロッド部分を略示的に示した拡大断面図である。
【図６】同ヘアーアイロンのロッド内に収納される隙間埋め部材の他の例を略示的に示した斜視図である。
【図７】同第２の実施例の変形例に係るロッド部分を略示的に示した拡大断面図である。
【図８】本発明の第３の実施例に係るヘアーアイロンを略示的に示した側面図である。
【図９】同ヘアーアイロンの加熱部内に配設される加熱部材を略示的に示した斜視図である。
【図１０】同加熱部材をヘアーアイロンの加熱部内に組み込む状況を略示的に示した拡大断面図である。
【図１１】本発明のヘアーアイロンに取り付けられる多段切り換えスイッチと連動した表示手段の一例を略示的に示した平面図である。
【図１２】同表示手段の要部のみを略示的に示した拡大断面図である。
【図１３】同表示手段におけるスイッチに延設した表示部の要部のみを拡大して略示的に示した平面図である。
【符号の説明】
【００５６】
１、４１  ヘアーアイロン
２、２１、３１  ロッド
３、４４、４５  グリップ
４  グローブ
４ａ  挟み込み部
５  支持ビス
６  グローブハンドル
７  スタンド
８、４８、５８  多段切り換えスイッチ
９、５１  電源ケーブル
１０ａ、１０ｂ、２２ａ、２２ｂ、２２ｃ、５４ａ、５４ｂ、５４ｃ  ＰＴＣヒーター
１１、２３、３２、５３  支持部材
１２、２４、５５  凹部
１３、２５  外周面
１４、２６  隙間埋め部材
１４ａ  曲面状部
１４ｂ  平板部
１５  孔または空洞部
４２、４３  加熱部
４６  軸
４７  バネ部材
４９  筒状部
５０  コネクタ
５２  加熱部材
５６  押さえ部材
５６ａ  リブ状の当接面  
５７、  断熱部材
５７ａ  垂下部
５９  窓部
６０  突起
６１  温度表示窓
６２  透明な樹脂板
６３、６４、６５  領域
６６  光源
６７  ケース
【図１】
2005087258.tif 000003
【図２】
2005087258.tif 000004
【図３】
2005087258.tif 000005
【図４】
2005087258.tif 000006
【図５】
2005087258.tif 000007
【図６】
2005087258.tif 000008
【図７】
2005087258.tif 000009
【図８】
2005087258.tif 000010
【図９】
2005087258.tif 000011
【図１０】
2005087258.tif 000012
【図１１】
2005087258.tif 000013
【図１２】
2005087258.tif 000014
【図１３】
2005087258.tif 000015